Podtech/llm-jp-corpus-v4-ja_patent huggingface dataset:
【手続補正書】
【提出日】平成16年8月4日(2004.8.4)
【手続補正１】
【補正対象書類名】特許請求の範囲
【補正対象項目名】全文
【補正方法】変更
【補正の内容】
【特許請求の範囲】
【請求項１】
体腔内の状態を監視するための装置であって、
体腔内に挿入される少なくとも一つのセンサであって、体腔内の状態に応じて信号を発生するためのセンサであり、少なくとも一つのベース部材を含むセンサと、
前記少なくとも一つのセンサと作動的に結合した少なくとも一つの遠隔測定（telemetric）装置であって、前記少なくとも一つのセンサからの前記信号を受信して、前記信号に応じたEMF信号を送信するように作動が可能な遠隔測定装置と
を含み、
前記少なくとも一つの遠隔測定装置は、前記少なくとも一つの遠隔測定装置から延出する少なくとも一つのコイル部材を含み、前記少なくとも一つのコイル部材は、各々、前記少なくとも一つのベース部材に物理的に結合された近位端と、体腔の壁と係合して、前記少なくとも一つのベース部材を体腔内に固定するための遠位端とを有し、前記少なくとも一つのベース部材は、前記少なくとも一つのコイル部材によって、前記体腔の壁から離れて配置される。
【請求項２】
前記少なくとも一つのセンサと、前記少なくとも一つの遠隔測定装置の一部とを取り囲む弾性収容体（compliant enclosure）をさらに含み、前記少なくとも一つのコイル部材は、前記弾性収容体を通って延出する、請求項１の装置。
【請求項３】
協働してセンサネットワークを形成する、複数のセンサと、対応する複数の遠隔測定装置とをさらに含む、請求項１の装置。
【請求項４】
前記少なくとも一つのコイル部材は、前記少なくとも一つの遠隔測定装置と作動的に結合し、前記EMF信号を送信するためのアンテナとして機能する、請求項１の装置。
【手続補正書】
【提出日】平成17年2月25日(2005.2.25)
【手続補正１】
【補正対象書類名】特許請求の範囲
【補正対象項目名】全文
【補正方法】変更
【補正の内容】
【特許請求の範囲】
【請求項１】
フィルタシステムにおいて、供給混合物を複数の生成物に分離する方法であって、以下：
該供給混合物を分離デバイスに通して、該供給混合物を第１の生成物および第２の生成物に分離する工程であって、該第１の生成物および第２の生成物は、純粋であり、そしてそれぞれ、該供給混合物より濃縮されている、工程；
該供給混合物が該分離デバイスに入る前に、該第２の生成物を、該供給混合物の流れと混合する工程；
該第２の生成物が予め決定された濃縮レベルに達するまで、該分離工程および混合工程を継続する工程；
該予め決定された濃縮レベルに達した場合に、該濃縮された第２の生成物をパージする工程；ならびに
該分離工程、混合工程、およびパージ工程を繰り返す工程、
を包含する、方法。
【請求項２】
前記供給混合物と混合する前に、前記第２の生成物を加熱する工程を包含する、請求項１に記載の方法。
【請求項３】
前記第２の生成物および前記供給混合物の混合物が、前記分離工程の前に加熱される、請求項１に記載の方法。
【請求項４】
供給流体処理装置であって、以下：
接線濾過デバイスであって、該供給流体を受容するための入口を有し、そして該供給流体を、透過流体と濃縮流体とに分離するように構成されており、該透過流体は、夾雑物を実質的に含まず、そして該濃縮流体には、該供給流体から除去された該夾雑物が濃縮されている、接線濾過デバイス；
濃縮流体回路であって、該接線濾過デバイスから出る該濃縮流体を受容して、該濃縮流体を該接線濾過デバイスの該入口に戻して循環させるように、そして該循環する濃縮流体を、該接線濾過デバイスの前に、該供給流体と混合し、該濃縮流体の濃度を効果的に増加させるように構成されている、濃縮流体回路；
モニタリングデバイスであって、該濃縮流体をモニタリングし、そして該濃縮流体の予め決定された濃度が達成された場合に、該装置のパージを開始するように構成されている、モニタリングデバイス；
パージシステムであって、該濃縮流体の該予め決定された濃度が達成された場合に、該装置から該濃縮流体をパージするように構成されている、パージシステム；
入口であって、該循環している濃縮流体に添加されるべき供給流体を、該接線濾過デバイスを透過する透過流体の量と置き換えさせるように、そして該装置から、該濃縮された循環濃縮流体がパージされるにつれて、新鮮な供給流体を該装置に補充させるように構成されている、入口、
を備える、供給流体処理装置。
【請求項５】
前記濃縮流体回路が、濾過デバイスをさらに備え、該濾過デバイスは、該濃縮流体の一部を捕捉し、該濃縮流体の濃度を効果的に低下させるように構成されている、請求項４に記載の流体処理装置。
【請求項６】
前記濾過デバイスが、パージデバイスをさらに備え、該パージデバイスによって、前記濾過デバイスによって捕捉された前記夾雑物の少なくとも一部が該装置からパージされて、該濾過デバイスの寿命を効果的に延長させ、そして該濾過デバイスの性能を維持する、請求項５に記載の流体処理装置。
【請求項７】
プロセスデバイスをさらに備え、該プロセスデバイスは、前記濾過デバイスと協働して、通常は該濾過デバイスを通過する材料を、該濾過デバイスに捕捉させる、請求項５に記載の流体処理装置。
【請求項８】
プロセスデバイスをさらに備え、該プロセスデバイスは、前記接線濾過デバイスが使用された後に、以前の性能を実質的に回復させるように構成されている、請求項４に記載の流体処理装置。
【請求項９】
プロセスデバイスをさらに備え、該プロセスデバイスは、前記接線濾過デバイスに対して破壊的である供給流体材料を除去するように構成されている、請求項４に記載の流体処理装置。
【請求項１０】
プロセスデバイスをさらに備え、該プロセスデバイスは、前記接線濾過デバイスを透過し、そして前記透過流体に入る、該透過流体に対する夾雑物である夾雑物を除去するように構成されている、請求項４に記載の流体処理装置。
【請求項１１】
プロセスデバイスをさらに備え、該プロセスデバイスは、エネルギーを、好ましくは廃液源から、前記供給流体へと投入して、前記接線濾過デバイスの性能の増加を引き起こすように構成されている、請求項４に記載の流体処理装置。
【請求項１２】
前記透過流体を貯蔵するように構成された貯蔵装置をさらに備える、請求項４に記載の流体処理装置。
【請求項１３】
前記貯蔵装置の内容量に基づいてプロセスサイクルを開始および停止させるための、制御装置をさらに備える、請求項１２に記載の流体処理装置。
【請求項１４】
前記透過流体を加圧するための、加圧デバイスをさらに備える、請求項１２に記載の流体処理装置。
【請求項１５】
前記透過流体から微生物夾雑物を除去するように構成された、消毒デバイスをさらに備える、請求項１２に記載の流体処理装置。
【請求項１６】
請求項１２に記載の流体処理装置であって、さらに、以下：
モニタリング手段であって、これによって、前記透過流体の質がモニタリングされる、モニタリング手段；および
制御手段であって、これによって、予め決定された夾雑物レベルを超える透過流体が前記貯蔵手段に入ることを防止される、制御手段、
を備える、流体処理装置。
【請求項１７】
濾過方法であって、以下：
逆浸透フィルタシステムを通して、透過流体および濃縮流体へと、原水を濾過する工程；
該濃縮流体を、該逆浸透フィルタデバイスの前に、該原水に再循環させる工程；ならびに
該濃縮流体が予め決定された濃縮レベルに達した場合、該逆浸透フィルタシステムを透過流体でパージする工程、
を包含する、方法。
【請求項１８】
前記透過流体を加圧タンク中に貯蔵する工程を包含する、請求項１８に記載の方法。
【請求項１９】
洗浄溶液を前記原水に導入して、少なくとも前記逆浸透フィルタシステムを洗浄する工程、次いで、少なくとも該逆浸透フィルタシステムから、該洗浄溶液をパージする工程を包含する、請求項１７に記載の方法。
【請求項２０】
前記濃縮流体をさらに濾過するために、抗菌ＵＶ光を使用する工程を包含する、請求項１７に記載の方法。
【請求項２１】
濾過デバイスであって、以下：
原水を受容するための、原水入口；
逆浸透濾過システムであって、該原水を、透過流体および濃縮流体に濾過するように構成されている、逆浸透濾過システム；
該逆浸透濾過システムに結合された、再循環システムであって、該濃縮流体を受容し、そして該濃縮流体を、該逆浸透濾過システムの前に、該原水と混合するための、再循環システム；
送達システムであって、該透過流体を受容し、そして最終生成物を生成物出口へと送達するように構成されている、送達システム、
を備える、デバイス。
【請求項２２】
前記逆浸透濾過システムに結合された洗浄回路をさらに備える、請求項２１に記載のデバイス。
【請求項２３】
前記送達システムと前記逆浸透濾過システムとの間に結合された、パージラインを備える、請求項２１に記載のデバイス。
【手続補正書】
【提出日】平成17年2月28日(2005.2.28)
【手続補正１】
【補正対象書類名】特許請求の範囲
【補正対象項目名】全文
【補正方法】変更
【補正の内容】
【特許請求の範囲】
【請求項１】
第一者であるコンテンツプロバイダにおいて、第１のコンピュータにてノートを掲載するステップと、
第二者であるコンテンツ受信部によって、第２のコンピュータにて行われるアクティビティであって、前記ノートに関するアクティビティに電子的に関与するステップと、
前記アクティビティに基づいて第三者に支払いを行うステップとを含むことを特徴とする、コンテンツプロバイダにおいて掲載されたノートへのアクセスを可能にする方法。
【請求項２】
前記アクティビティが購入を含む請求項１に記載の方法。
【請求項３】
前記アクティビティが金融取引に関するアクティビティを含む請求項１に記載の方法。
【請求項４】
前記アクティビティがメディアにアクセスすることを含む請求項１に記載の方法。
【請求項５】
前記方法が、さらに、前記第２のコンピュータにて前記ノートに関するプログラムを実行し、カット動作またはコピー動作に頼らずに、かつ、前記コンテンツプロバイダのウェブページをダウンロードすることなく、前記ノートをダウンロードするステップを含む請求項１に記載の方法。
【請求項６】
前記第１のコンピュータが第１のサイトに位置しており、前記第１のコンピュータは、前記第１のサイトにて前記ノートを掲載するための第１のプログラムコードを実行し、
前記第２のコンピュータが第２のサイトに位置しており、前記第２のサイトは、前記第１のサイトにて掲載された前記ノートに対応した第２のプログラムコードを実行し、
前記第三者により第３のサイトが操作される請求項１に記載の方法。
【請求項７】
前記第２のコンピュータが前記第２のプログラムを実行し、カット動作またはコピー動作に頼らずに、かつ、前記コンテンツプロバイダのウェブページをダウンロードすることなく、前記ノートをダウンロードする請求項６に記載の方法。
【請求項８】
前記ノートが、ドラッグアンドドロップの動作によりウィンドウに添付されるような特徴的な添付物を有する請求項１に記載の方法。
【請求項９】
前記ノートが前記コンテンツプロバイダのウェブページに掲載され、前記ノートは、前記ウェブページから分離されて前記コンテンツ受信部にダウンロードされることが可能な特徴を有する請求項１に記載の方法。
【請求項１０】
前記ノートが前記コンテンツプロバイダのウェブページに掲載され、前記ノートは、前記ウェブページから分離されて前記コンテンツ受信部に自動的にダウンロードされることが可能な特徴を有する請求項１に記載の方法。
【手続補正２】
【補正対象書類名】明細書
【補正対象項目名】発明の名称
【補正方法】変更
【補正の内容】
【発明の名称】コンテンツプロバイダにおいて掲載されたノートへのアクセスを可能にする方法
【手続補正３】
【補正対象書類名】明細書
【補正対象項目名】０００１
【補正方法】変更
【補正の内容】
【０００１】
本発明は、コンテンツ提供者（ｐｒｏｖｉｄｅｒ：プロバイダともよばれる）サイトに掲載されたソフトウエア・ノートへのコンテンツ受信者（ｒｅｃｉｐｉｅｎｔ）によるアクセスを可能にする装置に関する。
【手続補正４】
【補正対象書類名】明細書
【補正対象項目名】００２５
【補正方法】変更
【補正の内容】
【００２５】
図５および図６に示すように、通知子８２は２つの部分を有する。第１の部分８２ａは、一般的には図３に示したノート２２のようなノートパッドを表す記号である。第２の部分８２ｂは、一般的にはノート面を表示するパーソナルコンピュータを表す記号である。第１および／または第２の部分８２ａおよび／または８２ｂは点滅するように構成して、ノートが受信されたもののコンテンツ受信者が未だ開いていないことを示すようにしてもよい。さらに、第１および／または第２の部分８２ａおよび／または８２ｂはシステムトレイ内、システムツールバー内、またはアプリケーションバー内等の他の位置であってもよい。
【手続補正５】
【補正対象書類名】明細書
【補正対象項目名】００３１
【補正方法】変更
【補正の内容】
【００３１】
添付には以下の属性の一つ以上がある場合がある。受信されたコンテンツは、添付された場所が現れたとき、あるいは見えるときはいつでも現われる。受信されたコンテンツは、添付された場所が消えたとき、あるいは見えないときはいつでも消える。受信されたコンテンツは、添付された場所がスクロールや他の手段により移動したときはいつでも移動される。受信されたコンテンツは、第１の場所からドラッグされて第２の場所でドロップされたときはいつでも自動的に第１の場所から切り離されて第２の場所で再添付される。さらに、受信されたコンテンツを第１のウィンドウなどの表示の一つの領域から切り離して第２のウィンドウなどの表示の第２の領域に再添付することができる。添付には別の属性がある場合もあるため、上記に挙げた属性は単に例示的なものにすぎない。
【手続補正６】
【補正対象書類名】明細書
【補正対象項目名】００４４
【補正方法】変更
【補正の内容】
【００４４】
図１１に示すように、第一者の役目をするコンテンツ提供者１５０によってノート２２を新たに掲載することができる。コンテンツ受信者１５２は、プログラム６０を用いてノートの取得などのノートに関するアクティビティを行うが、ここでコンテンツ受信者１５２は第二者である。コンテンツ提供者１５０によって掲載されるコンテンツは、コンテンツ供給者１５４によってコンテンツ提供者１５０に供給される。支払いは、コンテンツ提供者１５０によって受取人１５６に対して行われる。このモデルの例では、受取人１５６は、コンテンツ供給者１５４の債権者、財政的な後援者、または全プロセスの支援者である場合もあり、コンテンツ提供者１５０は受取人１５６への料金の支払いに同意している。料金は定額料金、あるいはコンテンツ受信者１５２がコンテンツにアクセスするか、購入するか、もしくは逆にそのコンテンツに基づいて価値のあるものを提供する毎に支払う料金等である場合もある。図１０の場合と同様に、図１１のビジネスモデルにおいて他の料金も支払われることもある。
【手続補正書】
【提出日】平成16年6月24日(2004.6.24)
【手続補正１】
【補正対象書類名】特許請求の範囲
【補正対象項目名】全文
【補正方法】変更
【補正の内容】
【特許請求の範囲】
【請求項１】
複写機またはプリンタにおける中間転写部材またはフューザーとして使用可能なドラムであって、
トナー像と接触するための外側シリンダと、
内側シリンダと、
前記内側シリンダと外側シリンダとの間にこれらと接触して存在する所定の量の液体とを具備し、
前記外側シリンダが回転された時に、また内側シリンダは、外側シリンダとは異なる回転方向と、異なる回転速度とのうちの一方または両方で回転可能であるか、
前記内側シリンダは、不動または外側シリンダとは異なる回転方向と、異なる回転速度とのうちの一方または両方で回転可能であり、また、内側シリンダは、角度位置の関数として一定の半径を実質的に有するかのドラム。
【請求項２】
前記内側シリンダは、角度位置の関数として、一定の半径を実質的に有する請求項１に記載のドラム。
【請求項３】
前記内側シリンダは、不動であるか、或いは外側シリンダとは異なる回転方向と異なる回転速度とのうちの一方または両方で回転可能であり、この内側シリンダは、角度位置の関数として一定の半径を実質的に有する請求項１または２に記載のドラム。
【請求項４】
前記内側シリンダは、不動である請求項３に記載のドラム。
【請求項５】
前記内側シリンダと前記外側シリンダとの異なる回転は、液体中に乱流を生じさせるか或いは強める請求項１ないし４のいずれか１に記載のドラム。
【請求項６】
前記液体中の乱流により、内側シリンダと外側シリンダとの間の熱伝達が高められる請求項５に記載のドラム。
【請求項７】
前記液体中の乱流により、外側シリンダの加熱がより一様になる請求項５または６に記載のドラム。
【請求項８】
前記内側シリンダと外側シリンダと作動的に関連され、内側シリンダを外側シリンダの回転方向と反対の方向に回転させるように作用するローラを有する請求項１ないし３または請求項５ないし７のいずれか１に記載のドラム。
【請求項９】
前記ローラの軸線は、このローラがこれの軸線を中心に回転自在である間、ほぼ一定の位置に保持される請求項８に記載のドラム。
【請求項１０】
前記ローラは、ドラムの内部に位置されている請求項８または９に記載のドラム。
【請求項１１】
前記ローラは、ドラムの外側に位置されている請求項８ないし１０のいずれか１に記載のドラム。
【請求項１２】
前記内側シリンダを駆動する第１のモータと、前記外側シリンダを駆動する第２のモータとを具備している請求項１ないし３または請求項５ないし７のいずれか１に記載のドラム。
【請求項１３】
前記内側シリンダを回転させる前記モータは、前記ドラムの内部に位置されているロータと、ドラムの外側に位置されているステータとを有している請求項１２に記載のドラム。  
【請求項１４】
前記内側シリンダと前記外側シリンダとの両方を駆動するモータを具備している請求項１ないし３または請求項５ないし７のいずれか１に記載のドラム。
【請求項１５】
複写機またはプリンタにおける中間転写部材またはフューザーとして使用可能なドラムであって、
トナー像と接触するための外側シリンダと、
内側シリンダと、
前記内側シリンダと外側シリンダとの間にこれらと接触して存在する所定の量の液体とを具備し、
前記内側シリンダは、１以上の磁力または重力により回転しないように拘束されているドラム。
【請求項１６】
前記内側シリンダは、磁力により回転しないように拘束されている請求項３、４または１５に記載のドラム。
【請求項１７】
前記内側シリンダは、重力により回転しないように拘束されている請求項３、４、１５または１６に記載のドラム。
【請求項１８】
前記内側シリンダは、これを適所に固定することにより回転しないように拘束されている請求項４に記載のドラム。
【請求項１９】
前記内側シリンダは、前記ドラムの内部から外部まで延びているシャフトを有している請求項１ないし９、１１、１２、１４ないし１７のいずれか１に記載のドラム。
【請求項２０】
前記内側シリンダは、前記ドラムの外側でシャフトに磁気的に連結されている請求項１ないし９、１１、１２または１４のいずれか１に記載のドラム。
【請求項２１】
前記外側シリンダは、薄い壁部を有している、請求項１ないし２０のいずれか１に記載のドラム。
【請求項２２】
前記外側シリンダの壁部は、ガス圧により支持されている請求項２１に記載のドラム。
【請求項２３】
前記内側シリンダ内にヒータが設けられている、請求項１ないし２２のいずれか１に記載のドラム。
【手続補正２】
【補正対象書類名】明細書
【補正対象項目名】発明の名称
【補正方法】変更
【補正の内容】
【発明の名称】中間転写材またはフューザーとして使用可能なドラム
【手続補正３】
【補正対象書類名】明細書
【補正対象項目名】０００１
【補正方法】変更
【補正の内容】
【０００１】
本発明は、プリンタおよび複写機の分野に関し、特に、フューザー、中間転写部材、および/またはこれらのフューザーおよび中間転写部材の両方として機能するドラムに関する。
【手続補正書】
【提出日】平成16年7月27日(2004.7.27)
【手続補正１】
【補正対象書類名】特許請求の範囲
【補正対象項目名】全文
【補正方法】変更
【補正の内容】
【特許請求の範囲】
【請求項１】
液晶材料の少なくともある範囲にわたって電界を適用するための電極構造体（１２、１４）が設けられている２つの隔置されたセル壁（２、４）の間に、前記液晶材料の層を収容している液晶素子であって、前記セル壁（２）のうちの少なくとも一方に、それに隣接する前記液晶材料の分子の所望の局部的な配向を引き起こすための配向構造体（１０）が設けられており、前記液晶材料が、分子量２０００未満の非重合性の低分子量界面活性剤分子を含む、液晶素子。
【請求項２】
前記界面活性剤分子が、前記表面配向構造体（１０）位置での前記液晶のアンカリングエネルギー及び／又は粘度を低減させる、請求項１に記載の液晶素子。
【請求項３】
前記液晶素子が、ネマチック液晶材料であり、
前記表面配向構造体が、特徴構造（１０）のアレイを含み、該特徴構造が、該特徴構造（１０）に隣接するディレクタが概ね同じ方位方向において２つの異なる傾斜角を選択するよう誘導する形状及び／又は向きを有しており、
前記電極（１２、１４）に適切な電気信号が加えられた後に、２つの安定な液晶分子配列が存在し得るような構成である、請求項１及び請求項２に記載の液晶素子。
【請求項４】
前記界面活性剤分子の分子量が、１０００未満である、請求項１〜３の何れか１項に記載の液晶素子。
【請求項５】
前記界面活性剤分子の分子量が、２００〜６００の範囲にある、請求項１〜４の何れか１項に記載の液晶素子。
【請求項６】
前記界面活性剤分子が、２つ以上の化学種を含む、請求項１〜５の何れか１項に記載の液晶素子。
【請求項７】
前記界面活性剤分子が、互いに化学的に反応しないか、又は前記液晶材料の任意の他の成分と反応しない、請求項１〜６の何れか１項に記載の液晶素子。
【請求項８】
前記界面活性剤分子の各々が、チオール、エステル、エーテル、アルコールからなる群から選択される少なくとも１つの官能基を有する、請求項１〜７の何れか１項に記載の液晶素子。
【請求項９】
前記界面活性剤分子の少なくともいくつかが、チオール官能基を有する、請求項１〜８の何れか１項に記載の液晶素子。
【請求項１０】
前記界面活性剤分子の少なくともいくつかが、２つ以上の官能基を有する、請求項１〜９の何れか１項に記載の液晶素子。
【請求項１１】
前記界面活性剤分子の少なくともいくつかが、３つ又は４つの官能基を有する、請求項１０に記載の液晶素子。
【請求項１２】
前記界面活性剤分子が、トリメチロールプロパン  トリス（３−メルカプトプロピオネート）（ＴＭＰ）、ペンタエリスリトール  テトラキス（３−メルカプトプロピオネート）（ＰＴＭＰ）からなる群から選択される、請求項１〜１２の何れか１項に記載の液晶素子。
【請求項１３】
前記非重合性の低分子量界面活性剤分子が、前記液晶材料の０．５〜１０重量パーセントを構成する、請求項１〜１２の何れか１項に記載の液晶素子。
【請求項１４】
セル壁間（２、４）の領域の少なくともある範囲にわたって電界を適用するための電極構造体（１２、１４）が設けられている２つの隔置された前記セル壁（２、４）であって、少なくとも一方に表面配向構造体（１０）が設けられている前記セル壁（２）、を含むセルを形成すること、
分子量２０００未満の非重合性の低分子量界面活性剤分子を含む液晶組成物により前記セルを満たし、前記表面配向構造体（１０）位置での前記液晶のアンカリングエネルギー及び／又は粘度を低減させること、
前記セルの周辺に流体密封シールを設けること、
を包含する、液晶ディスプレイ素子を製造する方法。
【請求項１５】
前記液晶が、ネマチック液晶組成物であり、
前記表面配向構造体が、特徴構造（１０）のアレイを含み、該特徴構造（１０）が、該特徴構造（１０）に隣接するディレクタが概ね同じ方位方向において２つの異なる傾斜角を選択するよう誘導する形状及び／又は向きを有しており、
前記電極に適切な電気信号が加えられた後に、２つの安定な液晶分子配列が存在し得るような構成である、請求項１４に記載の液晶表示素子を製造する方法。
【請求項１６】
液晶材料内のアンカリングエネルギー低減添加物として、分子量２０００未満の非重合性の低分子量界面活性剤材料を使用すること。
【請求項１７】
液晶材料内の粘度低減添加物として、分子量２０００未満の非重合性の低分子量界面活性剤材料を使用すること。
【請求項１８】
チオール官能基を有し且つ２０００未満の分子量を有する非重合性の低分子量界面活性剤を０．０１〜１０重量パーセント含む、液晶組成物。
【請求項１９】
前記界面活性剤が、トリメチロールプロパン  トリス（３−メルカプトプロピオネート）（ＴＭＰ）、ペンタエリスリトール  テトラキス（３−メルカプトプロピオネート）（ＰＴＭＰ）からなる群から選択される、請求項１８に記載の液晶組成物。
【手続補正書】
【提出日】平成16年6月8日(2004.6.8)
【手続補正１】
【補正対象書類名】特許請求の範囲
【補正対象項目名】全文
【補正方法】変更
【補正の内容】
【特許請求の範囲】
【請求項１】
ラクトフェリンおよび／またはラクトフェリシンを妊娠または授乳している母ペットに投与する、新生および若いペットの健康状態を改善するためのラクトフェリンおよび／またはラクトフェリシンの使用。
【請求項２】
１日当たり約０．１〜約２００mg/kg体重のラクトフェリンおよび／またはラクトフェリシンを投与する、請求項１に記載の使用。
【請求項３】
妊娠または授乳しているペット用の飼料サプリメントとしての、ラクトフェリンおよび／またはラクトフェリシンの使用。
【請求項４】
飼料組成物中のラクトフェリンおよび／またはラクトフェリシンの量が、約３０〜約１０００ppmである、請求項３に記載の使用。
【請求項５】
ラクトフェリンおよび／またはラクトフェリシンを含む、新生および若い、イヌまたはネコにおける健康状態を改善するための妊娠または授乳している母ペット用飼料組成物。
【請求項６】
ラクトフェリンおよび／またはラクトフェリシンの量が、全組成物を基準にして、約３０〜約１０００ppmである、請求項５に記載のペット用飼料組成物。
【請求項７】
ラクトフェリンおよび／またはラクトフェリシンを約３０〜約４８０ppmの量で含む、請求項６に記載のペット用飼料組成物。
【請求項８】
新生および若いペットの死亡率を低減させるためのラクトフェリンおよび／またはラクトフェリシンの使用。
【請求項９】
離乳していないペット、離乳したペットおよび妊娠している、または授乳している母ペットから選択されるペットに、１日あたり約０．１〜約２００mg/kg体重のラクトフェリンおよび／またはラクトフェリシンを投与する、請求項８に記載の使用。
【請求項１０】
飼料サプリメントとしての、請求項８に記載のラクトフェリンおよび／またはラクトフェリシンの使用。
【請求項１１】
飼料組成物中のラクトフェリンおよび／またはラクトフェリシンの量が、約３０〜約１０００ppmである、請求項１０に記載の使用。
【請求項１２】
ペットが、妊娠している、授乳している、新生または若いペットである、請求項１０または１１に記載の使用。
【請求項１３】
ラクトフェリンおよび／またはラクトフェリシンを含む、新生または若いペットの死亡率を低減させるためのペット用飼料組成物。
【請求項１４】
ラクトフェリンおよび／またはラクトフェリシンの量が、全組成物を基準にして約３０〜約１０００ppmである、請求項１３に記載のペット用飼料組成物。
【請求項１５】
ラクトフェリンおよび／またはラクトフェリシンを約３０〜約４８０ppmの量で含む、請求項１４に記載のペット用飼料組成物。
【請求項１６】
ペットが、離乳していないペット、離乳したペットおよび妊娠している、または授乳している母ペットから選択される、請求項１３〜１５のいずれか１項に記載のペット用飼料組成物。
【請求項１７】
新生および若いペットの正常な腸内細菌フローラの形成と維持のためのラクトフェリンおよび／またはラクトフェリシンの使用。
【請求項１８】
離乳していないペット、離乳したペットおよび妊娠している、または授乳している母ペットから選択されるペットに、１日当たり約０．１〜約２００mg/kg体重のラクトフェリンおよび／またはラクトフェリシンを投与する、請求項１７に記載の使用。
【請求項１９】
飼料サプリメントとしての、請求項１７に記載のラクトフェリンおよび／またはラクトフェリシンの使用。
【請求項２０】
飼料組成物中のラクトフェリンおよび／またはラクトフェリシンの量が、約３０〜約１０００ppmである、請求項１９に記載の使用。
【請求項２１】
ペットが妊娠している、授乳している、新生または若いペットである、請求項１９または２０のいずれか１項に記載の使用。
【請求項２２】
ラクトフェリンおよび／またはラクトフェリシンを含む、新生および若いペットの正常な腸内細菌フローラの形成と維持のためのペット用飼料組成物。
【請求項２３】
ラクトフェリンおよび／またはラクトフェリシンの量が、全組成物を基準にして約３０〜約１０００ppmである、請求項２２に記載のペット用飼料組成物。
【請求項２４】
ラクトフェリンおよび／またはラクトフェリシンを約３０〜約４８０ppmの量で含む、請求項２３に記載のペット用飼料組成物。
【請求項２５】
ペットが、離乳していないペット、離乳したペットおよび妊娠している、または授乳している母ペットから選択される、請求項２２〜２４のいずれか１項に記載のペット用飼料組成物。
【手続補正書】
【提出日】平成17年3月14日(2005.3.14)
【手続補正１】
【補正対象書類名】特許請求の範囲
【補正対象項目名】全文
【補正方法】変更
【補正の内容】
【特許請求の範囲】
【請求項１】
人間又は動物の椎間板から物質を除去するための装置であって、この装置が、
ハンドピースと、
近位端部分をハンドピースに結合すべく構成され、遠位先端部開口を身体の椎間板の髄核内に配置すべく構成されてなるカニューレと、
回転エネルギーの源に結合すべく構成された回転要素であって、少なくとも一部分がカニューレの内部に配置され、少なくとも椎間板からカニューレの内部へと物質を引き込むことを助けるように構成されてなる上記回転要素と、
を備えていることを特徴とする装置。
【請求項２】
回転要素とカニューレとは協働して吸引源を形成し、回転要素の回転に応答して、椎間板からカニューレの内部へと物質を引き込むことを特徴とする請求項１に記載の装置。
【請求項３】
その他の吸引ないし吸込み源を含んでいないことを特徴とする請求項２に記載の装置。
【請求項４】
回転要素は、シャフトと、１又は複数の外方へ延在してなる突起とを含んでいることを特徴とする請求項１に記載の装置。
【請求項５】
１又は複数の外方へ延在してなる突起は、実質的に螺旋の形態を有していることを特徴とする請求項４に記載の装置。
【請求項６】
回転要素は、カニューレの遠位先端部開口から延出してなる遠位部分を含んでいることを特徴とする請求項１に記載の装置。
【請求項７】
回転要素の遠位部分は、実質的に螺旋の形態を有してなる、１又は複数の外方へ延在してなる突起を含んでいることを特徴とする請求項６に記載の装置。
【請求項８】
回転要素は、カニューレの遠位先端部開口から延出してなるシャフト部分を含んでいることを特徴とする請求項６に記載の装置。
【請求項９】
回転要素は、カニューレの遠位先端部開口から約０．０２インチ〜約１インチの範囲の長さだけ延出しているような遠位部分を含んでいることを特徴とする請求項１に記載の装置。
【請求項１０】
カニューレは約５mm未満の外径を有していることを特徴とする請求項１に記載の装置。
【請求項１１】
カニューレは約２mm未満の外径を有していることを特徴とする請求項１に記載の装置。
【請求項１２】
カニューレの遠位先端部開口は斜面になっていることを特徴とする請求項１に記載の装置。
【請求項１３】
カニューレの遠位先端部開口は、カニューレの長手軸線に対して実質的に垂直になっていることを特徴とする請求項１に記載の装置。
【請求項１４】
カニューレに連通してなる収集チャンバをさらに備え、カニューレを通り抜けた物質を収容すべく構成されていることを特徴とする請求項１に記載の装置。
【請求項１５】
収集チャンバは、椎間板から除去された物質を計量するのが容易なように構成されていることを特徴とする請求項１４に記載の装置。
【請求項１６】
カニューレは、手作業で変形可能に構成されていることを特徴とする請求項１に記載の装置。
【請求項１７】
回転要素に回転を提供すべく、回転要素に結合されてなるモータをさらに備えていることを特徴とする請求項１に記載の装置。
【請求項１８】
人間又は動物の椎間板から物質を除去するための装置であって、この装置が、
ハンドピースと、
外径が約５mm未満であるカニューレであって、近位端部分をハンドピースに結合すべく構成され、遠位先端部開口を人間又は動物の椎間板の髄核内に配置すべく構成されてなる上記カニューレと、
カニューレと協働すべく構成され、回転要素の回転に応答して椎間板の髄核組織を遠位先端部開口に引き込むような回転要素であって、シャフトと、カニューレの遠位先端部開口から延出してなる遠位部分と、回転エネルギー源に結合される近位端部分とを含んでいる上記回転要素と、
を備えていることを特徴とする装置。
【請求項１９】
回転要素とカニューレとは協働して吸引源を形成し、回転要素の回転に応答して、椎間板からカニューレの内部へと髄核組織を引き込むようなサイズと配置とになっていることを特徴とする請求項１８に記載の装置。
【請求項２０】
その他の吸引ないし吸込み源を含んでいないことを特徴とする請求項１８に記載の装置。
【請求項２１】
動物（人間を除く）の椎間板から物質を除去するための方法であって、この方法が、
遠位先端部開口と少なくとも一部分がカニューレの内部に配置されてなる回転要素とを有するようなカニューレを、動物の椎間板の髄核内へ配置する段階と、
カニューレに対して回転要素を回転させて、少なくとも椎間板の髄核からカニューレの遠位先端部開口へと物質を引き込むことを助けるような回転段階と、
を備えていることを特徴とする方法。
【請求項２２】
椎間板から物質を除去するための装置であって、この装置が、バッテリー駆動の物質除去組立体を有する、ことを特徴とする装置。
【請求項２３】
ユーザの片手に保持されるような大きさとされたハンドピースをさらに有する、請求項２２に記載の装置。
【請求項２４】
前記物質除去組立体は、前記ハンドピースに連結され、椎間板から物質を引き出すのに有効である挿入要素を有する請求項２３に記載の装置。
【請求項２５】
前記挿入要素を作動するのに有効なバッテリーをさらに有する請求項２４に記載の装置。
【請求項２６】
前記バッテリーは、前記ハンドピース内に配置される、請求項２５に記載の装置。
【請求項２７】
機械的に自己収納性がある、請求項２２に記載の装置。
【請求項２８】
人間の椎間板から物質を除去するための装置であって、この装置が、
ハンドピースと、近位端部分をハンドピースに結合するように構成され、遠位先端部開口を身体の椎間板の髄核内に配置すべく構成されてなるカニューレと、
バッテリー駆動の回転エネルギーの源に結合すべく構成された回転要素であって、少なくとも一部分がカニューレの内部に配置され、少なくとも椎間板からカニューレの内部へと物質を引き込むことを助けるように構成されてなる上記回転要素と、
を備えていることを特徴とする装置。
【請求項２９】
前記回転要素とカニューレとは協働して吸引源を形成し、回転要素の回転に応答して、椎間板からカニューレの内部へと物質を引き込む請求項２８に記載の装置。
【請求項３０】
その他の吸引或いは吸い込み式の外部源を有しない、請求項２９に記載の装置。
【請求項３１】
自己収納するような構造である、請求項３０に記載の装置。
【請求項３２】
バッテリー駆動回転エネルギー源を有する、請求項３１に記載の装置。
【請求項３３】
バッテリー駆動回転エネルギー源に結合され、バッテリー駆動回転エネルギー源に動力を与えるのに有効なバッテリーを有する、請求項３２に記載の装置。
【請求項３４】
バッテリー駆動回転エネルギー源は、モータにより与えられる、請求項３３に記載の装置。
【請求項３５】
前記カニューレは、約５ｍｍ未満の外径を有する、請求項３４に記載の装置。
【手続補正書】
【提出日】平成16年7月30日(2004.7.30)
【手続補正１】
【補正対象書類名】特許請求の範囲
【補正対象項目名】請求項１
【補正方法】変更
【補正の内容】
【請求項１】
カエノルハブディティス・エレガンス（Caenorhabditis elegans）およびエシェリヒア  コリ（Escherichia coli）中の発現のためのプラスミドベクターであって、転写の５’から３’方向に互いに機能できる形で結合した、熱ショックプロモーターヌクレオチド配列、シャイン−ダルガルノ配列を含有する合成イントロンヌクレオチド配列、随時核局在化シグナルまたは分泌シグナルをコードするヌクレオチド配列、認識可能なタグをコードするヌクレオチド配列、随時蛍光性タンパク質をコードするヌクレオチド配列、プロテアーゼ切断部位をコードするヌクレオチド配列、真核生物（例えばヒト）タンパク質または核酸分子をコードするヌクレオチド配列を含有する複クローニング部位、および翻訳停止をコードするヌクレオチド配列とを含む、上記ベクター。
【手続補正書】
【提出日】平成16年7月20日(2004.7.20)
【手続補正１】
【補正対象書類名】特許請求の範囲
【補正対象項目名】全文
【補正方法】変更
【補正の内容】
【特許請求の範囲】
【請求項１】
改変により破壊されたＰＧＥＳ２遺伝子を生じる、遺伝子改変非ヒト哺乳動物。
【請求項２】
前記哺乳動物がマウスである、請求項１の哺乳動物。
【請求項３】
前記哺乳動物がさらに破壊されたＡｐｏＥ遺伝子を含む、請求項１または２に記載の哺乳動物。
【請求項４】
改変が破壊されたＰＧＥＳ２遺伝子を含む、遺伝子改変動物細胞。
【請求項５】
前記細胞が胚幹（ＥＳ）細胞またはＥＳ様細胞である、請求項４の動物細胞。
【請求項６】
前記細胞がＥＳ細胞由来マクロファージである、請求項４の動物細胞。
【請求項７】
前記細胞が、破壊されたＰＧＥＳ２遺伝子を生じる改変を含有する遺伝子改変非ヒト哺乳動物から単離される、請求項４ないし６のいずれか１項に記載の動物細胞。
【請求項８】
前記細胞がＰＧＥ２を添加した培地において利用される、請求項４ないし７のいずれか１項に記載の動物細胞。
【請求項９】
炎症を介する傷害を治療する方法であって、該方法はプロスタグランジンＥ合成酵素２を阻害する薬剤を非ヒト動物に投与することを含む、前記方法。
【請求項１０】
薬剤を、関節炎を低減し、白血球浸潤を低減し、関節の関節面でのプロテオグリカン減少を低減し、かつ／または炎症性疼痛の検出を低減するのに充分な量で投与する、請求項９の方法。
【請求項１１】
炎症を介する障害を治療するための、プロスタグランジンＥ合成酵素２を阻害する薬剤を含む、医薬組成物。
【請求項１２】
関節炎を低減し、白血球浸潤を低減し、関節の関節面でのプロテオグリカン減少を低減し、かつ／または炎症性疼痛の検出を低減するための、請求項１１に記載の医薬組成物。
【手続補正書】
【提出日】平成17年3月3日(2005.3.3)
【手続補正１】
【補正対象書類名】明細書
【補正対象項目名】００１９
【補正方法】変更
【補正の内容】
【００１９】  舌部１４は、ベース１２の後面１８の平面に対して上に延びる凸面部分を備える。上に延びる縁部３２および３４ならびに上に延びる中央領域３６を含む凸面部分は、舌部の全長の５０パーセントを越える。舌部１４の縁部３２および３４は、舌部の中央領域３６と比べて、ベース１２の前面１６および後面１８によって画定される両平面からより離れており、したがってベースに対して凸面部分を形成する。凸面部分を含む舌部１４の部分の水平断面では、図１０に示すように、舌部の後表面４０および前表面４２は、舌部後表面４０の半径がわずかに舌部前表面４２の半径より小さい、わずかに異なる半径をもつ同心円によって画定される弓形形状をもつ。好ましくは、弓形表面４２および４０は、それぞれほぼ９０度の角度範囲をもつ。
【手続補正書】
【提出日】平成17年5月10日(2005.5.10)
【手続補正１】
【補正対象書類名】特許請求の範囲
【補正対象項目名】請求項７
【補正方法】変更
【補正の内容】
【請求項７】
キレート化基Ａが、エチレンジアミノ四酢酸（ＥＤＴＡ）、ジエチレントリアミノ五酢酸（ＤＴＰＡ）、１，４，７，１０−テトラアザシクロドデカン−１，４，７，１０−四酢酸（ＤＯＴＡ）、１，４，７，１０−テトラアザシクロドデカン−１，４，７−三酢酸（ＤＯ３Ａ）、〔１０−（２−ヒドロキシプロピル）−１，４，７，１０−テトラアザシクロドデカン−１，４，７−三酢酸（ＨＰＤＯ３Ａ）、４−カルボキシ−５，８，１１−トリス（カルボキシメチル）−１−フェニル−２−オキサ−５，８，１１−トリアザトリデカン−１３−酸（ＢＯＰＴＡ）、Ｎ−〔２−〔ビス（カルボキシメチル）アミノ〕−３−（４−エトキシフェニル）プロピル〕−Ｎ−〔２−〔ビス（カルボキシメチル）アミノ〕エチルグリシン（ＥＯＢ−ＤＴＰＡ）、Ｎ，Ｎ−ビス〔２−（カルボキシメチル）〔（メチルカルバモイル）メチル〕アミノ〕エチル〕−グリシン（ＤＴＰＡ−ＢＭＡ）、２−メチル−１，４，７，１０−テトラアザシクロドデカン−１，４，７，１０−四酢酸（ＭＣＴＡ）、（α，α′，α″，α″′）−テトラメチル−１，４，７，１０−テトラアザシクロドデカン−１，４，７，１０−四酢酸（ＤＯＴＭＡ）；ポリアミノホスホン酸配位子及びそれらの誘導体、ポリアミノホスフィン酸及びそれらの誘導体、特にエチレンジニトリロテトラキス（メチルホスホン）酸（ＥＤＴＰ）；１，４，７，１０−テトラアザシクロドデカン−１，４，７，１０−テトラキス〔メチレン（メチルホスホン）〕酸並びに１，４，７，１０−テトラアザシクロドデカン−１，４，７，１０−テトラキス〔メチレン−（メチルホスフィン）〕酸の残基からなる群より選択される、請求項６記載の化合物。
【手続補正書】
【提出日】平成16年6月24日(2004.6.24)
【手続補正１】
【補正対象書類名】特許請求の範囲
【補正対象項目名】全文
【補正方法】変更
【補正の内容】
【特許請求の範囲】
【請求項１】
０．０１Ｈｚ及び２５℃で１１０Ｋｐａ．ｓ−５００Ｋｐａ．ｓの粘度を有している少なくとも１つのシリコーンブロックコポリマーを少なくとも１つのヘアコンディショニング剤と共に含んでおり、組成物がシャンプー組成物でないことを特徴とするリーブオン型美容組成物。
【請求項２】
０．０１Ｈｚ及び２５℃で１１０Ｋｐａ．ｓ−５００Ｋｐａ．ｓの粘度を有している少なくとも１つのシリコーンブロックコポリマーを２−３０重量％のエアロゾル噴射剤と共に含むことを特徴とする美容組成物。
【請求項３】
更に、ヘアコンディショニング剤を含むことを特徴とする請求項２に記載の組成物。
【請求項４】
ヘアコンディショニング剤が０．０１−１０重量％の量で存在するカチオン性ヘアスタイリングポリマー及び／または０．１−５重量％の量で存在するカチオン性界面活性剤を含むことを特徴とする請求項１または３に記載の組成物。
【請求項５】
シリコーンポリマーが０．０１−１０重量％の量で存在することを特徴とする請求項１から４のいずれか一項に記載の組成物。
【請求項６】
シリコーンポリマーがポリマー鎖の少なくとも一端で２−６個の炭素原子を含有するアルケニル基で終結していることを特徴とする請求項１から５のいずれか一項に記載の組成物。
【請求項７】
シリコーンポリマーが、末端の各々でケイ素原子に結合した式（ＣＨ２−ＣＨ２）の基を少なくとも１つ含んでいることを特徴とする請求項１から６のいずれか一項に記載の組成物。
【請求項８】
シリコーンポリマーが式：
Ｘ｛（Ｒ１）（Ｒ２）Ｓｉ−［Ｏ−Ｓｉ（Ｒ３）（Ｒ４）］ｎ−Ｏ−Ｓｉ（Ｒ５）（Ｒ６）−ＣＨ２−ＣＨ２｝ｐＳｉ（Ｒ７）（Ｒ８）［−Ｏ−Ｓｉ（Ｒ９）（Ｒ１０）］ｍ−Ｏ−Ｓｉ（Ｒ１１）（Ｒ１２）Ｘ′
を有しており、式中の、
Ｘ及びＸ′が独立にＨまたはビニル（ＣＨ＝ＣＨ２）基を表し；
Ｒ１、Ｒ２、Ｒ３、Ｒ４、Ｒ５、Ｒ６、Ｒ７、Ｒ８、Ｒ９、Ｒ１０、Ｒ１１及びＲ１２が独立に、１−１２個の炭素原子を有しているアルキル基を表すか、アリール基またはアラルキル基を表し；
ｎ及びｍの各々が独立に、５−１００００、好ましくは５０−５０００の範囲の正の整数であり；ｐが１−１００の範囲の正の整数であることを特徴とする請求項１に記載の組成物。
【請求項９】
シリコーンポリマーが０．０１Ｈｚ及び２５℃で１１０Ｋｐａ．ｓ−３００Ｋｐａ．ｓの粘度を有していることを特徴とする請求項１から８のいずれか一項に記載の組成物。
【請求項１０】
ヘアスタイリング組成物であることを特徴とする請求項１から９のいずれか一項に記載の組成物。
【請求項１１】
エアロゾルムースの形態であることを特徴とする請求項１０に記載の組成物。
【請求項１２】
０．１−１０重量％の非イオン性界面活性剤を含むことを特徴とする請求項１１に記載の組成物。
【請求項１３】
０．０１Ｈｚ及び２５℃で１１０Ｋｐａ．ｓ−５００Ｋｐａ．ｓの粘度を有しているシリコーンポリマーを含むリーブオン組成物を毛髪に塗布することを含む頭髪の手入れ方法。
【請求項１４】
毛髪を所望の髪型またはスタイルに形成する段階を含む毛髪のスタイリング方法であることを特徴とする請求項１３に記載の方法。
【請求項１５】
シリコーンポリマーを請求項１から１２のいずれか一項に記載の組成物の形態で毛髪に塗布することを特徴とする請求項１３または１４に記載の方法。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
活性成分としてマツカサからの抽出物を含んでなる抗ＨＳＶ薬であって、マツカサの水酸化カリウム溶液での抽出により抽出物が得られ、前記抽出物がカリウムを含んでなる、抗ＨＳＶ薬。
【請求項２】
前記水酸化カリウムは、水酸化カリウムの１％溶液である請求項１に記載の抗ＨＳＶ薬。
【請求項３】
前記抽出物の前記活性成分は、ポリフェニルプロペノイド・多糖類複合体（ＰＰＣ）である請求項１に記載の抗ＨＳＶ薬。
【請求項４】
前記抽出物は、Ｐｉｎｕｓ属のいずれかの亜種または種のマツカサから抽出される請求項１に記載の抗ＨＳＶ薬。
【請求項５】
該マツカサは、Ｐ．ｄｅｎｓｉｆｌｏｒａ、Ｐ．ｋｏｒａｉｅｎｓｉｓ、Ｐ．ｐａｒｖｉｆｌｏｒａおよびＰ．ｔｈｕｎｂｅｒｇｉｉからなる群から選択される請求項４に記載の抗ＨＳＶ薬。
【請求項６】
ポリフェニルプロペノイド・多糖類複合体（ＰＰＣ）が２６０〜２８０ｎｍで吸収の肩を有する褐色を有し、これは水およびアルコール、およびアセトンに溶解し、並びに多糖類およびポリフェニルプロペノイドの複合体（ＰＰＣ）からなり、ファスト・プロテイン・リキッド・クロマトグラフィーにより決定されるように、５つの主要な成分は約１００、２１．０、１３．５、３．６および２．１ｋＤａ以上の分子量を有し、前記ポリフェニルプロペノイド・多糖類複合体（ＰＰＣ）はｐＨ７でマツカサの水酸化カリウム抽出物からの沈殿から得られる請求項３で設定されるような抗ＨＳＶ薬。
【請求項７】
前記抽出物は、少なくともｐＨ８を有する水酸化カリウムで抽出された請求項１の抗ＨＳＶ薬。
【請求項８】
前記水酸化カリウムは、６〜８のｐＨを有する請求項７の抗ＨＳＶ薬。
【請求項９】
細かく切断されたマツカサ材料をエタノール洗浄で脱脂するステップと、
脱脂した後、前記マツカサ材料を空気で乾燥するステップと、
エタノールおよび熱水抽出可能材料を除去し、２４時間空気乾燥した後、前記マツカサの混合物を１％  ＫＯＨ溶液で熱抽出するステップと、
平均粒子サイズが０．２μｍより大きい粒子状物質を前記混合物から除去するステップ、および
得られた粒子枯渇混合物のｐＨを６と８の間に調整し、前記ＫＯＨのカリウムは前記粒子枯渇混合物に残留するステップと、
を含んでなるポリフェニルプロペノイド・多糖類複合体（ＰＰＣ）を生成する方法。
【請求項１０】
請求項９に従って得られるような有効量のポリフェニルプロペノイド・多糖類複合体（ＰＰＣ）およびカリウムを含有する抗ＨＳＶ組成物。
【手続補正書】
【提出日】平成16年6月2日(2004.6.2)
【手続補正１】
【補正対象書類名】特許請求の範囲
【補正対象項目名】全文
【補正方法】変更
【補正の内容】
【特許請求の範囲】
【請求項１】
セメント性組成物中で混和剤を分散させるための粒子性添加剤であって、該セメント性組成物は、水硬性セメントを含んでおり、該添加剤は、該セメント性組成物と水とを混合する際に該混和剤の活性化を提供するためのものであり、該粒子性添加剤の粒子は、ポゾラン材料を含むキャリアおよび該粒子性キャリアに結合する混和剤を含み、ここで、該添加剤は、混和剤の存在下で該キャリアの乾燥ミルによって形成され、また、該添加剤の粒子は、該セメント性組成物中で使用されるセメントのメジアン粒子サイズの１／１０〜１／２の間のメジアン粒子サイズを有する、粒子性添加剤。
【請求項２】
前記添加剤のメジアン粒子サイズが、前記セメントのメジアン粒子サイズの１／１０〜１／３である、請求項１に記載の粒子性添加剤。
【請求項３】
前記添加剤のメジアン粒子サイズが、前記セメントのメジアン粒子サイズの１／５〜１／３の範囲内である、請求項１に記載の粒子性添加剤。
【請求項４】
前記添加剤の粒子サイズの分布が、ほぼ正常である、請求項１に記載の、粒子性添加剤。
【請求項５】
前記キャリアが、少なくとも５０容量％のポゾラン材料を含む、請求項２に記載の粒子性添加剤。
【請求項６】
前記キャリアが、該キャリア成分の少なくとも８０容量％の量のポゾラン材料および該キャリアの２０容量％までの量の石灰材料を含む、請求項２に記載の粒子性添加剤。
【請求項７】
前記ポゾラン材料が、フライアッシュである、請求項５に記載の粒子性添加剤。
【請求項８】
前記混和剤が、水分散可能な固体である、請求項６に記載の、粒子性添加剤。
【請求項９】
前記混和剤が、流体力学的特性のモディファイヤー、凝固モディファイヤー、および硬化したコンクリートの特性を改変する混和剤からなる群より選択される、請求項２に記載の、粒子性添加剤。
【請求項１０】
前記混和剤が、水還元剤、高範囲水還元剤、凝固遅延剤、凝固促進剤、およびこれらの２つ以上の混和剤からなる群から選択される、請求項２に記載の粒子性添加剤。
【請求項１１】
前記混和剤が、ＡＥ剤を含む界面活性化剤からなる群より選択される、請求項２に記載の粒子性添加剤。
【請求項１２】
前記混和剤が、ポゾラン反応を増強する混和剤からなる群から選択される、請求項２に記載の粒子性添加剤。
【請求項１３】
前記混和剤が、前記キャリアの０．５〜５重量％の範囲の量で存在する、請求項２に記載の粒子性添加剤。
【請求項１４】
前記キャリアが、添加水の非存在下で、前記混和剤と共にミルされる、請求項２に記載の粒子性添加剤。
【請求項１５】
水硬性セメントを含むバインダーおよび請求項２に記載の添加剤を含む、セメント性組成物。
【請求項１６】
前記キャリアが、前記水硬性セメント成分の１５〜５０容量％の量で存在する請求項１３に記載のセメント性組成物。
【請求項１７】
セメント性組成物を介して混和剤を分散させる方法であって、該セメント性組成物は、水硬性セメントを含んでおり、該混和剤は、水と共に該セメント性組成物を混合する際に、該セメント性組成物に影響を及ぼすよう作用しており、該方法は、以下；
該混和剤の存在下で、ポゾラン材料を含む該粒子キャリアを乾燥ミルして、該粒子性キャリアに該混和剤を結合することよって粒子性添加剤を形成する工程であって、ここで、該添加剤の粒子は、該セメント性組成物中で使用されるセメントのメジアン粒子サイズの１／１０〜１／３の間のメジアン粒子サイズであるメジアン粒子サイズを有し、該粒子性添加剤を形成する、工程、および
該セメント性組成物を介して該粒子性添加剤を分散させる工程であって、これによって、使用の際に、該混和剤が、該分散された粒子性添加剤を取り込む該セメント性組成物と水との混合の際に該キャリアから放出されるように作用している、工程、
を包含する、方法。
【請求項１８】
前記粒子性添加剤が、前記キャリアおよび混和剤を同時ミルすることによって形成される、請求項１７に記載の方法。
【請求項１９】
前記同時ミルが、アトリターミルまたはボールミルにおいて、水を添加することなく実施される、請求項１８に記載の方法。
【請求項２０】
前記キャリアが、少なくとも５０重量％のポゾラン材料を含む、請求項１７に記載の方法。
【請求項２１】
前記混和剤が、前記キャリアの０．５〜５重量％の量で存在し、かつ前記添加剤が、水硬性セメントの１５〜５０容量％の量で存在する、請求項１７に記載の方法。